(57)【要約】【課題】鏡と基体との間に大きな収納用空間を形成し、さらにその大きな収納用空間を有効利用できるよう、基体に対して収納トレイを着脱可能に支持する支持体を設けたミラーキャビネットを提供。【解決手段】ミラーキャビネット２０の基体２１を金属製として剛性・強度を向上させる。これにより、三面鏡４１と基体との間に大きな収納用空間５１が形成される。収納用空間５１には、中央トレイ４７および収納トレイ２８が設けられ、これらはトレイ用フック２９によって固定される。トレイ用フック２９は、上部のネジ穴２９ｄと下部の突出部２９ｅとにより、基体２１に対して回転不能に固定されている。トレイ用フック２９は、トレイ４７および２８を、前方側の幅広部２９ｂで掛止するとともに、後方側の実質的に垂直方向の溝部２９ｃに沿って摺動させ、これによって、中央トレイ４７および収納トレイ２８を着脱可能にしている。【選択図】図１２
2008136509.tif 000002
【特許請求の範囲】
【請求項１】
水栓および洗面ボールを備えた洗面カウンターと共に設置されるミラーキャビネットであって、
金属製で前面が実質的に平面の基体と、
前記基体の前方に取り付けられる鏡と、
前記基体の前面に装備される収納トレイと、
前記収納トレイを前記基体に着脱可能に支持する支持体とを備えることを特徴とするミラーキャビネット。
【請求項２】
前記支持体は、前方側の幅広部と、後方側の実質的に垂直方向の溝部とを有し、前記収納トレイは、前記幅広部によって掛止され、前記溝部に沿って摺動することにより着脱される掛止部を備えていることを特徴とする、請求項１記載のミラーキャビネット。
【請求項３】
前記支持体は、上下に配置され前記基体を貫通する第１および第２の突出部を備え、
前記基体には、前記第１および第２の突出部がそれぞれ挿入される上下に配置された第１および第２の穴を備え、
これによって、前記支持体は、前記基体に対して回転不能であることを特徴とする、請求項２記載のミラーキャビネット。
【請求項４】
前記基体の背面には裏補強材およびブロック材を備え、
前記支持体は、前記基体の第１の穴において前記支持体の第１の突出部を前記裏補強材に付勢させながら、前記ブロック材に締結される締結部材を備え、
前記基体の第１の穴はそれに挿入される前記支持体の第１の突出部の外形より大きな形状を有し、
これによって、前記支持体の第１の突出部が前記基体に当接しない状態で、前記支持体は前記ブロック材に締結されることを特徴とする、請求項３に記載のミラーキャビネット。
【請求項５】
前記支持体はさらに、前面側の表面を被覆するキャップを備えることを特徴とする、請求項３または４記載のミラーキャビネット。
【請求項６】
前記基体の後方に空間を形成するスペーサーをさらに備え、
前記基体は、両側辺を後方に向かって２度屈曲させたリップ溝形とすることにより、該基体の屈曲部が前記スペーサーの一部を構成することを特徴とする請求項１記載のミラーキャビネット。
【請求項７】
前記基体は、ステンレス鋼にて形成されていることを特徴とする請求項１記載のミラーキャビネット。
【発明の詳細な説明】
【技術分野】
【０００１】
本発明は、洗面カウンターと共に設置されるミラーキャビネットに関するものである。
【背景技術】
【０００２】
従来から、浴室に隣接して設けられる脱衣所などには、洗面化粧台が設置されている。洗面化粧台は、大別すれば洗面カウンターとミラーキャビネットとから構成される。洗面カウンターは、基本要素として湯水を供給する水栓と、排水口を備えた洗面ボールとを備えている。設置される際、水栓には給水管が接続され、排水口には排水管が接続される。また洗面カウンターの下部には、引き出しや開き戸などの収納部が設けられる場合が多い。洗面カウンターの正面には、事実上の必需品として鏡が配置されている。鏡は建物の屋内の壁面に直接取り付けられている場合もあるが、照明や収納等を備えた基体に取り付けられている場合が多い。本件出願では、鏡と基体とを含んだユニットをミラーキャビネットと称し、ミラーキャビネットと洗面カウンターとを含んだユニットを洗面化粧台と称することとする。
【０００３】
ミラーキャビネットの基体は、根本的には鏡の支持体である。しかし基体には、蛍光灯などの照明器具、これを操作するためのスイッチ、ドライヤーなどに電力供給するためのコンセントなどを設けている。また石けんや歯ブラシ、化粧品などを載置するための棚や収納部も設けられる。これらのことから、基体はある程度複雑な凹凸形状をなしている。従来の基体は主として合成樹脂材料からなり、特許文献１（特開平０５−１６１５５７）に記載されているように、真空成型にて製造されている場合が多い。
【０００４】
そして、合成樹脂材料を用いた基体と鏡との間に収納用空間を設ける場合には、基体に、補強材としての機能を有するリブなどの部材を縦横に差し渡すことによって、前方に突出させた鏡を支持していた。かかるリブがなければ、合成樹脂製の基体の剛性不足や強度不足により、前方に突出させた鏡を支持することができないからである。そして、このリブ材が物品を載置するための棚の役目も果たしていた。
【特許文献１】特開平０５−１６１５５７号公報
【発明の開示】
【発明が解決しようとする課題】
【０００５】
しかし、従来の合成樹脂製の基体を用いる場合、かかるリブで仕切られた収納用空間しか提供することができず、収納用空間の自由な利用を妨げることとなっていた。なぜなら、このようなリブは、一般的に、基体と同一の合成樹脂材料によって一体成形されるものであり、収納用空間からの着脱が不可能だからである。仮にこのようなリブを着脱可能にしようとした場合、樹脂材料は強度が低いために、棚の取付部が割れてしまいやすい。また、全体的にも鏡の重量を支持するだけの剛性がないため、ゆがみ、傾きなどの変形を生じてしまうおそれがあった。  その他、合成樹脂材料を用いた基体は、軽量であること、及び比較的安価であるという利点はある。しかし樹脂材料は、経年劣化により変色が生じやすい。特に化粧品や整髪料などの化学薬品が浸食して部分的な変色を生じる場合があり、耐薬品性にも問題がある。また汚れが付着した場合に、樹脂材料は表面に微細な凹凸があるため拭き取りにくく、場合によっては変色してしまうおそれもある。さらに真空成型をするために肉薄になりがちであり、強度を向上させることが難しい。そのため収納部を形成するために棚などを取り付けることができず、立体的な構造物とする必要があり、視覚的に大仰感が増している。
【０００６】
そこで本発明は、上記の課題のうち、とりわけ基体の剛性不足や強度不足を解消し、基体表面を平面で構成して美観および高級感を向上すると共に、基体に対して着脱可能に支持される構成を有する収納トレイを設けることが可能なミラーキャビネットを提供することを目的としている。
【課題を解決するための手段】
【０００７】
上記課題を解決するために、本発明にかかるミラーキャビネットの代表的な構成は、水栓および洗面ボールを備えた洗面カウンターと共に設置されるミラーキャビネットであって、金属製で前面が実質的に平面の基体と、基体の前方に取り付けられる鏡と、前記基体の前面に装備される収納トレイと、収納トレイを基体に着脱可能に支持する支持体とを備えることを特徴とする。
【０００８】
上記のように、基体を金属にて形成したことにより、合成樹脂の場合に比して、基体の剛性・強度が著しく向上する。このように剛性・強度が向上するため、前面が実質的に平面という簡易な形状で基体を構成することができ、美観および高級感を向上すると共に、基体に対して着脱可能に支持される構成を有する収納トレイを設けることが可能となる。そして収納トレイを着脱可能としたことにより、清掃性を向上し、また破損時の交換が容易となり、製品寿命を延長することが可能となる。
【０００９】
基体に固定される上記の支持体は、前方側の幅広部と、後方側の実質的に垂直方向の溝部とを有し、収納トレイは、支持体の幅広部によって掛止され、溝部に沿って摺動することにより着脱される掛止部を備えてよい。このように、収納トレイは、着脱する際に、支持体の溝部の垂直な軌道に沿って線接触しながら摺動するため、安定した動作にて着脱させることが可能である。また、支持体の両側辺全体で荷重を支持することにより、収納トレイの安定性および耐荷重を向上させることができる。
【００１０】
上記の支持体は、上下に配置され基体を貫通する第１および第２の突出部を備え、基体には、第１および第２の突出部がそれぞれ挿入される上下に配置された第１および第２の穴を備えてよい。これによって、支持体は、基体に回転不能になる。支持体は実質的に垂直方向の溝部を有するため、回転してしまうと、収納トレイを装着しにくくなってしまうからである。
【００１１】
また、２点の固定点のうち、上部のものを、より強固な締結固定とし、下部のものを突出部・穴による嵌め合い固定とすることにより、収納トレイの荷重によって支持体にかかるモーメントに容易に対抗することができる。また、一方のみをネジ固定とすれば、ネジの数が少なくて済む。  上記の基体の背面には裏補強材およびブロック材を備え、支持体は、基体の第１の穴において支持体の第１の突出部を裏補強材に付勢させながら、ブロック材に締結される締結部材を備え、基体の第１の穴はそれに挿入される支持体の第１の突出部の外形より大きな形状を有してよい。これによって、支持体の第１の突出部が基体に当接しない状態で、支持体はブロック材に締結されることとなる。
【００１２】
上記の構成により、支持体の第１の突出部から基体に対しては、実質的に応力がかからないため、基体の変形が防止される。
【００１３】
上記の支持体はさらに、前面側の表面を被覆するキャップを備えてよい。ネジの頭や肉抜きの穴を見えなくする化粧を施して、美感を向上させることができる。
【００１４】
基体の後方には空間を形成するスペーサーをさらに備え、基体は、両側辺を後方に向かって２度屈曲させたリップ溝形とすることにより、基体の屈曲部がスペーサーの一部を構成してもよい。これにより、基体の背面側に配線のための空間を設けつつ、基体側面にも金属を露出させることができる。また基体のたわみに対する剛性が向上するため、板材を用いても鏡などの支持物に対して十分な剛性を得ることができる。またスペーサーの部材が削減できるため、部材数の削減を図ることができる。
【００１５】
基体は、ステンレス鋼にて形成されていてもよい。これにより、特に耐薬品性、耐候性を向上させることができる。また素材感に基づく剛性感および硬質感においても、他の金属素材よりも程度の高い高級感を使用者に与えることができる。
【００１６】
本発明にかかるミラーキャビネットを適用可能な洗面化粧台の代表的な構成は、上記ミラーキャビネットと、湯水を供給する水栓と、排水口を備えた洗面ボールとを備えた洗面カウンターと、を備えたことを特徴とする。上記の如くミラーキャビネットの基体を金属にて形成することにより、強度、耐薬品性および清掃性を向上し、また金属の素材感に基づく剛性感および硬質感から高級感を得ることのできる洗面化粧台とすることができる。また、上述したミラーキャビネットの技術的思想に基づく構成要素やその説明は、当該洗面化粧台にも適用可能である。
【発明の効果】
【００１７】
本発明によれば、ミラーキャビネットの基体の剛性不足や強度不足を解消し、基体表面を平面で構成して美観および高級感を向上すると共に、基体に対して着脱可能に支持される構成を有する収納トレイを設けることができる。また収納トレイの安定性および耐荷重を向上し、かつ着脱を容易とすることができる。
【００１８】
さらに副次的な効果として、基体の耐薬品性および清掃性を向上し、また金属の素材感に基づく剛性感および硬質感から高級感を得ることができ、さらに、鏡を支持する桟と他の部材との共有化を図ることにより、部材数の削減と剛性の確保を両立することができる。
【発明を実施するための最良の形態】
【００１９】
［第１実施形態］
本発明にかかるミラーキャビネットの第１実施形態について説明する。本実施形態においてミラーキャビネットは、三面鏡の構成である。図１は第１実施形態にかかる洗面化粧台の分解斜視図、図２は第１実施形態にかかる洗面化粧台の外観斜視図、図３は第１実施形態にかかるミラーキャビネットを背面から見た分解斜視図、図４は照明受け桟の構成を説明する図、図５は鏡受け桟および桟固定具の構成を説明する図、図６は本体サイドカバーの構成を説明する図、図７は中央トレイの構成を説明する図、図８は収納トレイのサイドキャップの構成を説明する図、図９は収納トレイの構成を説明する図、図１０は中央トレイ、トレイ用のフックの構成を説明する図、図１１は同フック用のフックキャップの構成を説明する図、図１２は中央トレイとトレイ用フックとが掛止されている様子を示す図である。なお、以下の実施例に示す寸法、材料、その他具体的な数値などは、発明の理解を容易とするための例示に過ぎず、特に断る場合を除き、本発明を限定するものではない。
【００２０】
図１および図２に示すように、洗面化粧台１は、洗面カウンター１０と、ミラーキャビネット４０とから構成されている。洗面カウンター１０は、湯水を供給する水栓１１と、排水口１２ａを備えた洗面ボール１２とを備えている。また洗面ボールの下方には収納棚１３が設けられている。
【００２１】
ミラーキャビネット４０は、金属製の基体２１と、基体２１の前方に取り付けられた三面鏡４１とを備えている。基体２１は、両側辺を後方に向かって２度屈曲させたリップ溝形（Ｃ形もしくはＣチャン形状ともいう）に形成されている。基体２１の背面、すなわちリップ溝形の内部には、裏補強板３０が配置されている（図３参照）。
【００２２】
基体２１には三面鏡４１の重量を支持するために縦方向にたわむ荷重がかかるが、上記のようにリップ溝形とすることにより、板材であっても十分な剛性（たわみにくい性質）を得ることができる。従って板材を曲げるだけといった単純な加工によって剛性の高い基体２１を形成することができ、かつ、製造工程の単純化および短縮化を図ることが可能となるので、生産性を向上させることができる。
【００２３】
基体２１の材質としてはステンレス鋼、アルミニウム、鉄鋼などを選択することができる。鉄鋼材料の場合は、防錆のために塗装またはめっき処理などの表面処理をすることが好ましい。このように金属材料を用いたことにより、金属の素材感に基づく剛性感および硬質感から美観を向上し、高級感を得ることができる。
【００２４】
また金属材料は樹脂材料に比して強度（破壊強度）が大きいため、立体的な構造をとらずとも後述する三面鏡４１や収納トレイ２８などの支持物を支持することができる。このことは基体２１を単純な構造にできることに寄与しており、視覚的な大仰感を低減し、美観を向上させることができる。
【００２５】
基体２１の材質としては、上記の中でも特にステンレス鋼を選択することが好ましい。これにより、特に耐薬品性、耐候性、剛性および強度を向上させることができる。またステンレス鋼は組織が緻密であることから研磨することにより美観に優れている。さらに社会通念上、使用者はステンレス鋼に対して剛性感および硬質感、耐久性などに優れていると感じることが期待できるため、他の金属素材よりも程度の高い高級感を使用者に与えることができる。
【００２６】
図３に示すように、基体２１の背面には裏補強板３０が配置されている。裏補強板３０は、基体２１の背面のほぼ全面を覆う面積を備えた板部３１と、板部３１に取り付けられた複数のブロック３３とから構成されている。ブロック３３は、主に基体２１の前面に取り付けられる各種付属品を締結固定する際のネジ受けとして設けられている。付属品としては、三面鏡４１を支持する照明受け桟４２（上桟）および鏡受け桟４３（下桟）、トレイ用フック２９などが、基体２１を介して裏補強板３０に取り付けられる。
【００２７】
ここで、基体２１の両側辺に形成された屈曲部分と、上端ブロック３２ａおよび下端ブロック３２ｂによって、基体の後方に空間を形成するスペーサーが構成される。この基体２１の後方、すなわちリップ溝形の内部に形成された空間には、照明ユニット２５、ヒーターユニット、およびスイッチ３４などに電気的に接続するための配線が設けられる。すなわち基体２１の形状がリップ溝形であることは、剛性の向上のみでなく、基体２１の背面側に配線のための空間を設ける役割をも有している。さらに、そのような空間を設けつつ、基体側面にも金属面を露出させることができる効果を有している。
【００２８】
基体２１の下端には、本体下キャップ２４が取り付けられている。本体下キャップ２４は、裏補強板３０の下端ブロック３２ｂに締結固定され、基体２１の下面を覆う蓋部２４ａと、前方に突出して棚を構成する棚部２４ｂとからなり、棚兼用端部部材を構成している。また基体２１の下部には、照明ユニット２５やヒーターユニットを操作するためのスイッチ３４が設けられている。
【００２９】
基体２１の上端には、本体上キャップを兼ねた照明受け桟４２が取り付けられる。図４に照明受け桟４２の構成を示す。照明受け桟４２は、基体２１の上面に配置される上キャップ部分４２ａと、基体２１の前面に配置される照明受け部４２ｂおよびヒンジ支持部４２ｃとから構成される。
【００３０】
照明受け桟４２の上面の上キャップ部分４２ａは、基体２１の上面を覆った状態で、複数のネジ穴４８ａを介して上方から裏補強板３０の上端ブロック３２ａに締結固定される。また照明受け部４２ｂは、複数のネジ穴４８ｂを介して前面から裏補強板３０の裏側に配置されたブロック３２に締結固定される。
【００３１】
また基体２１の三面鏡４１の下端に対応する位置には、鏡受け桟４３が取り付けられる。図５に鏡受け桟４３および桟固定具４９の構成を示す。桟固定具４９は図５（ｂ）に示すように、その上下に基体２１より離隔した位置に幅広部４９ａを備え、基体２１に沿って溝部４９ｂを形成している。一方鏡受け桟４３は図５（ａ）に示すように、前方側にヒンジ支持部４３ａを形成し、後方側に溝部４９ｂに嵌合する断面Ｃ字形の嵌合部３４ｂを形成している。従って鏡受け桟４３は図１に示したように、まず基体２１に桟固定具４９を固定し、これに摺動嵌合させることによって取り付けられる。
【００３２】
照明受け桟４２および鏡受け桟４３の前面には複数のヒンジ４４が設けられており、これに三面鏡４１の各鏡を取り付けることにより、鏡は回動可能に取り付けられる。三面鏡４１の両側の袖鏡４１ｂ、４１ｃは中央の主鏡４１ａ側の端部においてヒンジ４４に接続される。さらに主鏡４１ａもヒンジ４４に接続されており、基体２１に対して回動可能に構成されている。
【００３３】
基体２１を金属にて形成したことにより、合成樹脂の場合に比して、基体２１の剛性・強度が著しく向上する。このように剛性・強度が向上するため、以下の構成が安定的に実現される。すなわち、照明受け桟４２および鏡受け桟４３は、リブなどの補強材を有しない、前面が実質的に平面の簡易な形状を有する基体２１を用いるにも拘らず、この基体２１によって前方に突出するように安定的に設けられている。これにより三面鏡４１と基体２１との間に大きな収納用空間５１が形成されている。この収納用空間５１の側面には本体サイドカバー４５が取り付けられる。
【００３４】
本発明によって得られる大きな収納用空間５１は、典型的には、直方体である。この直方体の空間には、合成樹脂製の基体を用いていた場合にはリブなどの補強材が存在していたところ、金属製の基体２１を用いるために、かかる補強材などの仕切りに相当するものがない。したがって、直方体の収納用空間５１は、何の制限もなく、全体を自由に利用可能である。
【００３５】
図６に本体サイドカバー４５の構成を示す。本体サイドカバー４５は収納用空間の側面を封止する壁面４５ａと、照明受け桟４２と嵌合する上部嵌合部４５ｂ、鏡受け桟４３と嵌合する下部嵌合部４５ｃ、基体２１に締結される複数の締結部４５ｄとから構成される。左右の本体サイドカバー４５は、鏡像体構造の関係にある。すなわち、照明受け桟４２および鏡受け桟４３の左右から本体サイドカバー４５を嵌合し、かつ本体サイドカバー４５を基体２１に締結固定することによって、三面鏡４１を蓋体とする箱形構造の収納部が構成される。これにより、三面鏡４１の荷重に対してもゆがみや傾きの生じない頑強な構造体となる。
【００３６】
三面鏡４１と基体２１の間の収納用空間５１には、中央にサイズの大きな中央トレイ４７が着脱可能に取り付けられ、その周囲に複数の収納トレイ２８が着脱可能に取り付けられる。これら中央トレイ４７、収納トレイ２８は、基体２１の表面に取り付けられた支持体の例としてのトレイ用フック２９に対して嵌合することにより、着脱可能となっている。
【００３７】
図７は中央トレイ４７の構成を説明する四面図である。中央トレイ４７は押し出し成形によって作られ、材質はポリスチレン（PolyStyrene）としてよい。また、金属性としてもよく、例えば基体２１と同様にステンレスにしてもよいし、アルミニウムにしてもよい。中央トレイ４７は側面から見て略Ｌ字型の部材を含み、これは、基体２１と平行な背面部４７ａと、収納される物を下から支持する底部４７ｂと、背面部４７ａから延伸して基体２１に当接する当接部４７ｃとで構成される。
【００３８】
中央トレイ４７は、また、図８に示すサイドキャップ４７ｅを含み、これは、上記の略Ｌ字型の部材の両側方向から被せられる部材である。サイドキャップ４７ｅは略Ｌ字型の溝部４７ｆを有していて、これは、上記の略Ｌ字型の部材の形状に適合している。左右のサイドキャップ４７ｅは鏡像体構造の関係にある。丸形溝４７ｇの部分には、物品の落下を防止するバー（図示せず）を左右のサイドキャップ４７ｅに差し渡してもよい。図中、斜線で示すように、サイドキャップ４７ｅにはシボ加工を施してよい。
【００３９】
図９は収納トレイ２８の構成を説明する図であり、四面図と２つの断面図（Ｃ−Ｃ断面図およびＤ−Ｄ断面図）とで収納トレイ２８の構成を示す。収納トレイ２８は、前面部２８ａと、収納される物を下から支持する底部２８ｂと、基体２１に平行でこれに当接する当接部２８ｃと、側面部２８ｅとで構成される。前面が開いている中央トレイ４７とは異なり、収納トレイ２８には、上記のように、前面にも前面部２８ａが設けられている。
【００４０】
収納トレイ２８の材質はポリスチレンとしてよい。また、図９の斜線部に示すように収納トレイ２８にはシボ加工を施してよい。
【００４１】
図７および図９に示すように、中央トレイ４７、収納トレイ２８の当接部４７ｃ、２８ｃにはそれぞれ２箇所の掛止部４７ｄおよび２８ｄが設けられている。これら掛止部４７ｄおよび２８ｄがトレイ用フック２９と嵌合しつつ摺動する構造について、以下、図１０を参照しつつ、説明する。  トレイ用フック２９は、図１０に示すビット部２９ａと、図１１に示すフックキャップ２９ｆを含む。図１０はトレイ用フック２９の構成を説明する図であり、三面図と２つの断面図（Ｅ−Ｅ断面図およびＦ−Ｆ断面図）とでトレイ用フック２９の構成を示す。トレイ用フック２９は、射出成形によって作られ、材質は耐衝撃性ポリスチレンとしてよい。
【００４２】
トレイ用フック２９のビット部２９ａは、前方側の幅広部２９ｂと、後方側の実質的に垂直方向（上下方向）の溝部２９ｃとを有している。中央トレイ４７および収納トレイ２８は、トレイ用フック２９の幅広部２９ｂによって掛止される。具体的には、トレイ４７および２８の内部にトレイ用フック２９の幅広部２９ｂが取り込まれることによって、トレイ４７および２８は掛止される。一方、トレイ４７および２８は、それらの掛止部４７ｄおよび２８ｄにおいて、トレイ用フック２９の後方側の実質的に垂直方向の溝部２９ｃと嵌合しつつ、溝部２９ｃに沿って摺動する。これにより、中央トレイ４７および収納トレイ２８は、基体２１に対して着脱可能になっている。
【００４３】
このように、中央トレイ４７および収納トレイ２８は、着脱する際に、トレイ用フック２９の溝部２９ｃの垂直な軌道に沿って線接触しながら摺動するため、安定した動作にて着脱させることが可能である。また、支持体の両側辺全体で荷重を支持することにより、収納トレイの安定性および耐荷重を向上させることができる。これは本実施形態におけるトレイ用フック２９のビット部２９ａが実質的に矩形の輪郭を有していて、両側辺に垂直方向の２本の溝部２９ｃを設けることができるからである。仮にトレイ用フック２９を平坦な円柱形状とすることもできるが、その場合は、形成される溝部が、トレイ４７および２８の掛止部４７ｄおよび２８ｄと点接触しかできないため、安定度において劣ることとなる。
【００４４】
またトレイ用フック２９を構成するビット部２９ａは、上部に、基体２１に向かって捻じ込まれるネジ３５用のネジ穴２９ｄを有しており、基体２１にネジ止めされる。またビット部２９ａは基体２１に対して突出している突出部２９ｅをネジ穴２９ｄより下部に有し、これは、基体２１に設けられた穴３７に嵌合することによって、ビット部が回転するのを防止する。  このように、トレイ用フック２９を、ネジ穴２９ｄを通るネジ３５と、突出部２９ｅとの２点で基体２１に固定すれば、トレイ用フック２９を基体２１に対して回転不能に固定することが可能であり、トレイ４７、２８を円滑に装着することができる。
【００４５】
また支持体には、トレイ４７および２８の荷重により、当接部４７ｃおよび２８ｃの下端を中心とするモーメントが作用する。したがって上下２点の固定点のうち、上部の固定点により大きな力が作用する。そこで本実施形態のように、上部のものを、より強固なネジ固定とし、下部のものを突出部・穴による嵌め合い固定としたことにより、収納トレイの荷重によって支持体にかかるモーメントに容易に対抗することができる。また、一方のみをネジ固定としたことにより、ネジの数を最小限とすることができ、部材コストを抑え、また組立工程の簡略化を図ることができる。  基体２１の背面には、裏補強板３０およびブロック３３を備え、トレイ用フック２９は、基体２１の第１の穴３９においてトレイ用フック２９の第１の突出部２９ｇを裏補強板３０に付勢させながら、ブロック３３に締結されるネジ３５を備える。基体２１の第１の穴３９はそれに挿入されるトレイ用フック２９の第１の突出部２９ｇの外形より大きな形状を有する。これによって、トレイ用フック２９の第１の突出部２９ｇが基体２１に当接しない状態で、トレイ用フック２９はブロック３３に締結されることとなる。
【００４６】
上記の構成により、第１の突出部２９ｇから基体２１に対しては、実質的に応力がかからないため、基体２１の変形が防止される。
【００４７】
なお、裏補強板３０には、ネジ３５の外形より大きな形状を有する穴５５が設けられている。したがって、裏補強板３０に対しても、ネジ３５からは実質的に応力がかからない。ネジ３５の締結のための力が加えられるのは、ブロック３３である。
【００４８】
図１１はフックキャップ２９ｆを三面図と２つの断面図（Ｇ−Ｇ断面図およびＨ−Ｈ断面図）とで示している。フックキャップ２９ｆは、トレイ用フック２９の上から被せられることによって、ネジ穴２９ｄに螺入されたネジ３５の頭と、肉抜きの穴を隠蔽する。これにより、ネジ穴２９ｄを見えなくする化粧を施して、美感を向上させることができる。なお、フックキャップ２９ｆはビット部２９ａと同様に、材質を例えば耐衝撃性ポリスチレンとして、射出成形にて形成することができる。
【００４９】
図１２は中央トレイ４７とトレイ用フック２９とが掛止されている様子を示す図である。トレイ用フック２９の上部のネジ穴２９ｄを通して、ネジ３５が基体２１に捻じ込まれる。一方、突出部２９ｅは、基体２１に設けられた穴３７に嵌合する。このように、トレイ用フック２９は、基体２１に対して２点で回転不能に固定される。
【００５０】
回転不能に固定されたトレイ用フック２９の上方から、中央トレイ４７を近づけ、トレイ４７の内部にトレイ用フック２９の幅広部２９ｂが取り込まれることによって、トレイ４７は掛止される。一方、トレイ４７は、その掛止部４７ｄにおいて、トレイ用フック２９の後方側の実質的に垂直方向の溝部２９ｃと嵌合しつつ、溝部２９ｃに沿って摺動する。これにより、中央トレイ４７および収納トレイ２８は、基体２１に対して着脱可能になっている。
【００５１】
照明受け桟４２の前面には照明ユニット２５が取り付けられ、また照明ユニット２５を覆うように照明カバー４６が着脱可能に取り付けられている。これにより鏡を支持するための桟と、照明器具を支持するための支持体の機能の共有化を図ることができ、部材の共有化を図って部品点数を削減することができる。また金属製の照明器具が基体に直接取り付けられることを防止することにより、異種金属の接合による電蝕を防止することができる。
【００５２】
図２に示すように洗面化粧台１を組み立てた状態においては、基体２１の側面は常に露出しており、また三面鏡４１を開いた際には必ず大きく基体２１の表面が視認される。このとき鏡のガラスの質感と、基体２１の金属の素材感に基づく剛性感および硬質感から、美観の統一感が感じられるため、高級感を得ることができる。
【００５３】
上記説明した如く、本実施形態にかかるミラーキャビネットにおいては、基体２１を金属、とりわけステンレス鋼にて形成したことにより、合成樹脂の場合に比して、基体２１の剛性・強度が著しく向上する。このように剛性・強度が向上するため、基体２１を前面が実質的に平面の簡易な形状とすることができ、美観および高級感を向上すると共に、基体に対して着脱可能に支持される構成を有する収納トレイを設けることができる。また収納トレイの安定性および耐荷重を向上し、かつ着脱を容易とすることができる。
【００５４】
［第２実施形態］
本発明にかかるミラーキャビネットの第２実施形態について説明する。本実施形態においてミラーキャビネット２０および洗面化粧台２は、一面鏡の構成である。図１３は第２実施形態にかかる洗面化粧台の外観斜視図であって、上記第１実施形態と説明の重複する部分については、同一の符号を付して説明を省略する。
【００５５】
本実施形態において照明受け桟４２および鏡受け桟４３の前面には、一面鏡の鏡２２がヒンジ４４を介して回動可能に取り付けられている。鏡２２の背面には、曇り止めのための不図示のヒーターユニットが配置されている。照明受け桟４２および鏡受け桟４３の側面には本体サイドカバー４５が取り付けられており、鏡２２と基体２１との間には収納用空間５３が形成されている。
【００５６】
収納用空間５３には、中央トレイ４７が取り付けられていて、取り付けの方法および着脱可能である点は、第１実施形態と同様である。
【００５７】
基体２１の前面であって鏡２２の両脇には、複数の収納トレイ２８が取り付けられる。収納トレイ２８は、基体２１の表面に取り付けられたトレイ用フック２９に対して嵌合することにより、着脱可能となっている。一方、収納トレイ２８の取付部には溝と摺動嵌合するリブが形成されている。また鏡２２の脇には、照明ユニット２５やヒーターユニットを操作するためのスイッチ３４が設けられている。
【００５８】
本実施形態においても、基体２１を金属製としたことにより、基体２１の剛性および強度が向上し、前面が実質的に平面の基体２１を用いることにより、美観および高級感を向上すると共に、基体に対して着脱可能に支持される構成を有する収納トレイを設けることができる点において、上記第1実施形態と同様である。また実質的に垂直方向の溝部を備えた２９によって収納トレイ２８を取り付けることにより収納トレイの安定性および耐荷重を向上し、かつ回転を防止することにより着脱を容易とすることができる点においても、上記第1実施形態と同様である。
【００５９】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６０】
本発明は、洗面カウンターと共に設置されるミラーキャビネットとして利用することができる。
【図面の簡単な説明】
【００６１】
【図１】第１実施形態にかかる洗面化粧台の分解斜視図である。
【図２】第１実施形態にかかる洗面化粧台の外観斜視図である。
【図３】第１実施形態にかかるミラーキャビネットを背面から見た分解斜視図である。
【図４】第１実施形態にかかる照明受け桟の構成を説明する図である。
【図５】第１実施形態にかかる鏡受け桟および桟固定具の構成を説明する図である。
【図６】第１実施形態にかかる本体サイドカバーの構成を説明する図である。
【図７】第１実施形態にかかる中央トレイの構成を説明する図である。
【図８】第１実施形態にかかる中央トレイのサイドキャップの構成を説明する図である。
【図９】第１実施形態にかかる収納トレイの構成を説明する図である。
【図１０】第１実施形態にかかるトレイ用フックの構成を説明する図である。
【図１１】第１実施形態にかかるトレイ用フックのフックキャップの構成を説明する図である。
【図１２】第１実施形態にかかる中央トレイとトレイ用フックとが掛止されている様子を示す図である。
【図１３】第２実施形態にかかる洗面化粧台の外観斜視図である。
【符号の説明】
【００６２】
１、２…洗面化粧台、１０…洗面カウンター、１１…水栓、１２…洗面ボール、１２ａ…排水口、１３…収納棚、２０…ミラーキャビネット、２１…基体、２２…鏡、２４…本体下キャップ、２４ａ…蓋部、２４ｂ…棚部、２５…照明ユニット、２８…収納トレイ、２９…トレイ用フック、３０…裏補強板、３１…板部、３２ａ…上端ブロック、３２ｂ…下端ブロック、３３…ブロック、３４…スイッチ、３４ｂ…嵌合部、４０…ミラーキャビネット、４１…三面鏡、４１ａ…主鏡、４１ｂ、４１ｃ…袖鏡、４２…照明受け桟、４２ａ…上キャップ部分、４２ｂ…照明受け部、４２ｃ…ヒンジ支持部、４２ｄ…当接面、４３…鏡受け桟、４３ａ…ヒンジ支持部、４４…ヒンジ、４５…本体サイドカバー、４５ａ…壁面、４５ｂ…上部嵌合部、４５ｃ…下部嵌合部、４５ｄ…締結部、４６…照明カバー、４７…中央トレイ、４８ａ、４８ｂ…ネジ穴、４９…桟固定具、４９ａ…幅広部、４９ｂ…溝部、５１、５３…収納用空間
【図１】
2008136509.tif 000003
【図２】
2008136509.tif 000004
【図３】
2008136509.tif 000005
【図４】
2008136509.tif 000006
【図５】
2008136509.tif 000007
【図６】
2008136509.tif 000008
【図７】
2008136509.tif 000009
【図８】
2008136509.tif 000010
【図９】
2008136509.tif 000011
【図１０】
2008136509.tif 000012
【図１１】
2008136509.tif 000013
【図１２】
2008136509.tif 000014
【図１３】
2008136509.tif 000015